(57)【要約】【課題】光学レンズを有するレンズユニットと、撮像素子を囲むように配置されるセンサープレートの実装構造において、撮像面のあおり調整を確実に可能とする。【解決手段】光学レンズを有するレンズユニット１と、撮像素子７を囲むように配置されるセンサープレート６の実装構造であって、レンズユニット１は突出形状のガイドピン１１を備え、センサープレート６にはガイドピン１１を挿入するガイド孔６１が形成されている。そして、ガイド孔６１が面取り６２されている。具体的には、ガイド孔６１は、センサープレート６の表面側と裏面側の両面側が面取り６２されている。【選択図】図１
2016105535.tif 000002
【特許請求の範囲】
【請求項１】
光学レンズを有するレンズユニットと、撮像素子を囲むように配置されるセンサープレートの実装構造であって、
前記レンズユニットは突出形状のガイドピンを備え、
前記センサープレートには前記ガイドピンを挿入するガイド孔が形成されていて、
前記ガイド孔が面取りされていることを特徴とするレンズユニットとセンサープレートの実装構造。
【請求項２】
前記ガイド孔は、前記センサープレートの表面側または裏面側が面取りされていることを特徴とする請求項１に記載のレンズユニットとセンサープレートの実装構造。
【請求項３】
前記ガイド孔は、前記センサープレートの表面側と裏面側の両面側が面取りされていることを特徴とする請求項１に記載のレンズユニットとセンサープレートの実装構造。
【請求項４】
前記ガイド孔は、傾斜面または曲面で面取りされていることを特徴とする請求項１から３のいずれか一項に記載のレンズユニットとセンサープレートの実装構造。
【請求項５】
請求項１から４のいずれか一項に記載のレンズユニットとセンサープレートの実装構造を備えることを特徴とする撮像装置。
【発明の詳細な説明】
【技術分野】
【０００１】
本発明は、レンズユニットとセンサープレートの実装構造、及びそのレンズユニットとセンサープレートの実装構造を備える撮像装置に関する。
【背景技術】
【０００２】
デジタルカメラにおいて、撮像レンズを収容したレンズ筐体に対し、撮像素子を搭載したセンサーホルダはネジ止めして実装される（例えば特許文献１参照）。
そして、センサーの撮像面が光軸に対して垂直になるように調整するためには、レンズ筐体に対するセンサーホルダのネジ止め部にシムを挿入して、撮像面の傾き（あおり）を調整している。
【先行技術文献】
【特許文献】
【０００３】
【特許文献１】特開平５−２９２３８０号公報
【発明の概要】
【発明が解決しようとする課題】
【０００４】
しかし、撮像面をあおり調整するためには、センサーホルダをあおり調整する必要があり、その際、レンズ筐体とセンサーホルダの位置決めに使用しているガイドピンとガイド孔が、あおり調整することにより干渉し、センサーホルダの引っ掛かりや、ガイドピンの破損の可能性があった。
【０００５】
本発明の課題は、光学レンズを有するレンズユニットと、撮像素子を囲むように配置されるセンサープレートの実装構造において、撮像面のあおり調整を確実に可能とすることである。
【課題を解決するための手段】
【０００６】
以上の課題を解決するため、本発明は、
光学レンズを有するレンズユニットと、撮像素子を囲むように配置されるセンサープレートの実装構造であって、
前記レンズユニットは突出形状のガイドピンを備え、
前記センサープレートには前記ガイドピンを挿入するガイド孔が形成されていて、
前記ガイド孔が面取りされていることを特徴とする。
【発明の効果】
【０００７】
本発明によれば、撮像面のあおり調整を確実に行うことができる。
【図面の簡単な説明】
【０００８】
【図１】本発明を適用したレンズユニットとセンサープレートの実装構造の一実施形態の構成を示す縦断面図である。
【図２】図１のレンズユニット上のセンサープレートを示す斜視図である。
【図３】図２の矢印Ａ部のガイド孔形状を示す拡大図である。
【図４】図１の実装構造のあおり調整時を示した図である。
【図５】図４の矢印Ｂ部の拡大図である。
【図６】図４と左右逆のあおり調整時を示した図である。
【図７】図６の矢印Ｃ部の拡大図である。
【図８】変形例としてガイド孔形状のバリエーションを示した縦断面図（ａ）〜（ｅ）である。
【発明を実施するための形態】
【０００９】
以下、図を参照して本発明を実施するための形態を詳細に説明する。
（実施形態）
図１及び図２は本発明を適用したレンズユニット１とセンサープレート６の実装構造の一実施形態の構成を示すもので、３は光学フィルター、４は防塵ラバー、５はセンサーアッシー、７は撮像素子、８は接着剤、９はセンサー基板、ｎはネジ、ｓはシムである。
【００１０】
例えばデジタルカメラにおいて、図略の光学レンズを備えるレンズユニット１は、図示のように、光学フィルター３及び防塵ラバー４を介在させて、センサーアッシー５の板金によるセンサープレート６に対し、平行する二辺部において、１本のネジｎと２本のネジｎをセンサープレート６の取付孔６０からレンズユニット１のネジ孔１０に各々ネジ込んでそれぞれ固定される。
センサーアッシー５は、センサープレート６に対し撮像素子７を、平行する二辺部において、ＵＶ（紫外線）硬化型の接着剤８でそれぞれ固定したもので、撮像素子７はセンサー基板９に搭載さている。
【００１１】
以上において、レンズユニット１とセンサープレート６は、ネジｎ止めに先立って、そのネジｎ止め以外の平行する二辺部において、各々一組のガイドピン１１及びガイド孔６１で、レンズ中心と撮像素子７の撮像中心とを一致させてそれぞれ位置決めされる。
なお、図示例では、レンズユニット１のセンサープレート６のネジｎ止め部、すなわち、ネジ孔１０周囲のボス部と取付孔６０周囲との間にシムｓが二枚ずつ挿入されている。
【００１２】
そして、ガイド孔６１は、図３にも拡大して示すように、センサープレート６の表面側と裏面側の両面側が傾斜面により面取り６２したテーパー形状となっている。
【００１３】
次に、図４は図１の実装構造のあおり調整時を示したもので、図５にも拡大して示したように、左側のネジｎ止め部にシムｓを三枚挿入して右側のネジｎ止め部にシムｓを一枚だけ挿入した状態であおり調整を行っても、ガイドピン１１に対し傾斜状態のセンサープレート６のガイド孔６１がそのプレート表面側と裏面側の両面側が傾斜面により面取り６２したテーパー形状によって逃げるようにして干渉は少ないものとなる。
【００１４】
また、図６は図４と左右逆のあおり調整時を示したもので、図７にも拡大して示したように、左側のネジｎ止め部にシムｓを一枚だけ挿入して右側のネジｎ止め部にシムｓを三枚挿入した状態であおり調整を行っても、ガイドピン１１に対し傾斜状態のセンサープレート６のガイド孔６１がそのプレート表面側と裏面側の両面側が傾斜面により面取り６２したテーパー形状によって逃げるようにして干渉は少ないものとなる。
【００１５】
このように、センサープレート６のガイド孔６１の表面側と裏面側の両面側に傾斜面により面取り６２したテーパー形状を付加したことにより、撮像面のあおり調整時にレンズユニット１のガイドピン１１とセンサープレート６のガイド孔６１との干渉が少なくなる。
【００１６】
以上、実施形態のカメラによれば、レンズユニット１のガイドピン１１を挿入するガイド孔６１がセンサープレート６の表面側と裏面側の両面側に傾斜面により面取り６２したテーパー形状となっているので、撮像面のあおり調整時に確実な調整が可能となり、品質向上が可能となる。
【００１７】
（変形例）
ガイド孔６１に付加する形状は、傾斜面による面取り６２をプレート片側（表面または裏面）だけでもよく、また、傾斜面ではなく、曲面による面取り６２をプレート両面または片面だけでもよい。
【００１８】
図８は変形例としてガイド孔形状のバリエーション（ａ）〜（ｅ）を示したものである。
【００１９】
すなわち、図８（ａ）はガイド孔６１のプレート裏面側だけに傾斜面による面取り６２を設けた例である。
【００２０】
図８（ｂ）はガイド孔６１のプレート表面側だけに傾斜面による面取り６２を設けた例である。
【００２１】
図８（ｃ）はガイド孔６１のプレート表面側だけに曲面による面取り６３を設けた例である。
【００２２】
図８（ｄ）はガイド孔６１のプレート裏面側だけに曲面による面取り６３を設けた例である。
【００２３】
図８（ｅ）はガイド孔６１のプレート表面側及び裏面側の両面側に曲面による面取り６３を設けた例である。
【００２４】
なお、以上のガイド孔６１の面取り６２・６３の形成については、孔を空けた後に切削加工により面取りしたり、面取りされた形状の金型を用意しておいたり、などが挙げられる。
【００２５】
（他の変形例）
以上の実施形態においては、カメラとしたが、本発明はこれに限定されるものではなく、カメラを備える携帯電話など他の電子機器であってもよい。
また、レンズユニット及びセンサープレートの形状、ガイドピン及びガイド孔の組数、面取り形状、シムの枚数等も任意であり、その他、具体的な細部構造等についても適宜に変更可能であることは勿論である。
【００２６】
以上、本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。
付記に記載した請求項の項番は、この出願の願書に最初に添付した特許請求の範囲の通りである。
〔付記〕
＜請求項１＞
光学レンズを有するレンズユニットと、撮像素子を囲むように配置されるセンサープレートの実装構造であって、
前記レンズユニットは突出形状のガイドピンを備え、
前記センサープレートには前記ガイドピンを挿入するガイド孔が形成されていて、
前記ガイド孔が面取りされていることを特徴とするレンズユニットとセンサープレートの実装構造。
＜請求項２＞
前記ガイド孔は、前記センサープレートの表面側または裏面側が面取りされていることを特徴とする請求項１に記載のレンズユニットとセンサープレートの実装構造。
＜請求項３＞
前記ガイド孔は、前記センサープレートの表面側と裏面側の両面側が面取りされていることを特徴とする請求項１に記載のレンズユニットとセンサープレートの実装構造。
＜請求項４＞
前記ガイド孔は、傾斜面または曲面で面取りされていることを特徴とする請求項１から３のいずれか一項に記載のレンズユニットとセンサープレートの実装構造。
＜請求項５＞
請求項１から４のいずれか一項に記載のレンズユニットとセンサープレートの実装構造を備えることを特徴とする撮像装置。
【符号の説明】
【００２７】
１  レンズユニット
１０  ネジ孔
１１  ガイドピン
３  光学フィルター
４  防塵ラバー
５  センサーアッシー
６  センサープレート
６０  取付孔
６１  ガイド孔
６２  面取り（傾斜面）
６３  面取り（曲面）
７  撮像素子
８  接着剤
９  センサー基板
ｎ  ネジ
ｓ  シム
【図１】
2016105535.tif 000003
【図２】
2016105535.tif 000004
【図３】
2016105535.tif 000005
【図４】
2016105535.tif 000006
【図５】
2016105535.tif 000007
【図６】
2016105535.tif 000008
【図７】
2016105535.tif 000009
【図８】
2016105535.tif 000010